【手続補正書】
【提出日】平成15年12月5日(2003.12.5)
【手続補正１】
【補正対象書類名】明細書
【補正対象項目名】特許請求の範囲
【補正方法】変更
【補正の内容】
【特許請求の範囲】
【請求項１】
電子写真感光体と、前記電子写真感光体に作用するプロセス手段と、前記電子写真感光体に形成された静電潜像を現像するために用いる現像剤を収納する現像剤収納部と、電子写真画像形成装置本体に装着された状態で前記現像剤収納部内の現像剤量を検知するための現像剤と接触する箇所に配置される検知部材と、を有する電子写真画像形成装置本体に着脱可能なプロセスカートリッジであり、
前記電子写真画像形成装置本体に装着された状態で駆動をする少なくとも１つの回転部材と、前記回転部材に固定される現像剤攪拌用のシート部材と、を有し、前記検知部材が前記現像剤収納部の前記回転部材の長手方向端部に配置されているプロセスカートリッジにおいて、
前記現像剤攪拌用のシート部材の少なくとも一方の端部が前記検知部材の表面に当接することを特徴とするプロセスカートリッジ。
【請求項２】
前記現像剤攪拌用のシート部材は、前記検知部材の表面に当接する端部に切り込みを有することを特徴とする請求項１のプロセスカートリッジ。
【請求項３】
電子写真感光体と、前記電子写真感光体に作用するプロセス手段と、前記電子写真感光体に形成された静電潜像を現像するために用いる現像剤を収納する現像剤収納部と、電子写真画像形成装置本体に装着された状態で前記現像剤収納部内の現像剤量を検知するための現像剤と接触する箇所に配置される検知部材と、を有する電子写真画像形成装置本体に着脱可能なプロセスカートリッジであり、
前記電子写真画像形成装置本体に装着された状態で駆動をする少なくとも１つの回転部材を有し、前記検知部材が前記現像剤収納部の前記回転部材の長手方向端部に配置されているプロセスカートリッジにおいて、
前記回転部材の前記検知部材側の長手方向端部にシート固定部材を設け、前記検知部材の表面に当接するシート部材が前記シート固定部材に固定されることを特徴とするプロセスカートリッジ。
【請求項４】
一方の端部に駆動受け部を有し、他方の端部が現像剤収納部を形成する現像剤枠体に揺動可能に支持され、前記現像剤枠体との間に弾性体が設けられ、前記検知部材の表面を拭き取る第２のシート部材の一方の端部が固定される第２のシート固定部材を更に有しており、
前記第２のシート部材は、他方の端部が前記検知部材の表面に当接し、前記回転部材の長手方向端部に設けられた前記シート固定部材による前記駆動受け部に対する押しつけ力と、前記弾性部材の復元力によって往復運動をすることを特徴とする請求項３のプロセスカートリッジ。
【請求項５】
プロセスカートリッジを着脱可能であって、記録媒体に画像を形成する電子写真画像形成装置において、
（ａ）電子写真感光体と、前記電子写真感光体に作用するプロセス手段と、前記電子写真感光体に形成された静電潜像を現像するために用いる現像剤を収納する現像剤収納部と、電子写真画像形成装置本体に装着された状態で前記現像剤収納部内の現像剤量を検知するための現像剤と接触する箇所に配置される検知部材と、を有するプロセスカートリッジであって、前記電子写真画像形成装置本体に装着された状態で駆動をする少なくとも１つの回転部材と、前記回転部材に固定される現像剤攪拌用のシート部材と、を有し、前記検知部材が前記現像剤収納部の前記回転部材の長手方向端部に配置されており、前記現像剤攪拌用のシート部材の少なくとも一方の端部が前記検知部材の表面に当接するプロセスカートリッジを電子写真画像形成装置本体に取り外し可能に装着するための装着手段と、
（ｂ）前記プロセスカートリッジが前記電子写真画像形成装置本体に装着された状態で、前記プロセスカートリッジの前記回転部材に駆動を伝達する駆動手段と、
（ｃ）前記電子写真感光体に静電潜像を形成するための静電潜像形成手段と、
を有することを特徴とする電子写真画像形成装置。
【請求項６】
前記現像剤攪拌用のシート部材は、前記検知部材の表面に当接する端部に切り込みを有することを特徴とする請求項５の電子写真画像形成装置。
【請求項７】
プロセスカートリッジを着脱可能であって、記録媒体に画像を形成する電子写真画像形成装置において、
（ａ）電子写真感光体と、前記電子写真感光体に作用するプロセス手段と、前記電子写真感光体に形成された静電潜像を現像するために用いる現像剤を収納する現像剤収納部と、電子写真画像形成装置本体に装着された状態で前記現像剤収納部内の現像剤量を検知するための現像剤と接触する箇所に配置される検知部材と、を有するプロセスカートリッジであって、前記電子写真画像形成装置本体に装着された状態で駆動をする少なくとも１つの回転部材を有し、前記検知部材が前記現像剤収納部の前記回転部材の長手方向端部に配置されており、前記回転部材の前記検知部材側の長手方向端部にシート固定部材を設け、前記検知部材の表面に当接するシート部材が前記シート固定部材に固定されるプロセスカートリッジを電子写真画像形成装置本体に取り外し可能に装着するための装着手段と、
（ｂ）前記プロセスカートリッジが前記電子写真画像形成装置本体に装着された状態で、前記プロセスカートリッジの前記回転部材に駆動を伝達する駆動手段と、
（ｃ）前記電子写真感光体に静電潜像を形成するための静電潜像形成手段と、
を有することを特徴とする電子写真画像形成装置。
【請求項８】
一方の端部に駆動受け部を有し、他方の端部が現像剤収納部を形成する現像剤枠体に揺動可能に支持され、前記現像剤枠体との間に弾性体が設けられ、前記検知部材の表面を拭き取る第２のシート部材の一方の端部が固定される第２のシート固定部材を更に有しており、
前記第２のシート部材は、他方の端部が前記検知部材の表面に当接し、前記回転部材の長手方向端部に設けられた前記シート固定部材による前記駆動受け部に対する押しつけ力と、前記弾性部材の復元力によって往復運動をすることを特徴とする請求項７の電子写真画像形成装置。
【請求項９】
電子写真画像形成装置本体に装着された状態で駆動をする少なくとも１つの回転部材と、前記回転部材に固定される現像剤攪拌用のシート部材と、を有し、
前記現像剤攪拌用のシート部材の少なくとも一方の端部が、現像剤収納部内の現像剤と接触する箇所であって前記現像剤収納部の前記回転部材を支持している面に配置される検知部材の表面に当接することを特徴とする拭き取り部材。
【請求項１０】
前記現像剤攪拌用のシート部材は、前記検知部材の表面に当接する端部に切り込みを有することを特徴とする請求項９の拭き取り部材。
【請求項１１】
電子写真画像形成装置本体に装着された状態で駆動をする少なくとも１つの回転部材と、前記回転部材の、現像剤収納部内の現像剤と接触する箇所であって前記現像剤収納部の前記回転部材の長手方向端部に配置される検知部材側の長手方向端部に設けられるシート固定部材と、を有し、
前記検知部材の表面に当接するシート部材が前記シート固定部材に固定されることを特徴とする拭き取り部材。
【請求項１２】
前記回転部材の長手方向に現像剤攪拌用のシート部材を更に固定して有することを特徴とする請求項１１の拭き取り部材。
【請求項１３】
一方の端部に駆動受け部を有し、他方の端部が現像剤収納部を形成する現像剤枠体に揺動可能に支持され、前記現像剤枠体との間に弾性体が設けられ、前記検知部材の表面を拭き取る第２のシート部材の一方の端部が固定される第２のシート固定部材を更に有しており、
前記第２のシート部材は、他方の端部が前記検知部材の表面に当接し、前記回転部材の長手方向端部に設けられた前記シート固定部材による前記駆動受け部に対する押しつけ力と、前記弾性部材の復元力によって往復運動をすることを特徴とする請求項１１又は１２の拭き取り部材。
【手続補正２】
【補正対象書類名】明細書
【補正対象項目名】００２２
【補正方法】削除
【補正の内容】